(57)【要約】【課題】異なる伝送速度を有する光信号が混在するシステムにおいて、各光信号について適切な中継処理を行なう。【解決手段】互いに反対方向の２方向に伝送される光伝送路に介装される中継装置であって、前記光伝送路の一方側から第１方向で入力される光信号について分岐し、第１伝送速度の光信号の処理方路である第１方路、および、前記第１伝送速度と異なる第２伝送速度の光信号の処理方路である第２方路に導く第１インタフェース部１１と、前記各方路を伝搬する前記第１方向の光信号について対応する伝送速度に応じた処理を行なう処理部１２と、前記処理部にて前記処理が行なわれた光信号の伝搬方路である前記第１方路および前記第２方路を波長多重により束ね、前記光伝送路の他方側に導く第２インタフェース部１３と、をそなえる。【選択図】図４
2010252044.tif 000002
【特許請求の範囲】
【請求項１】
一方向あたりで異なる伝送速度を有する光信号がそれぞれ複数種類混在して互いに反対方向の２方向に伝送される光伝送路に介装される中継装置であって、
前記光伝送路の一方側から第１方向で入力される光信号について分岐し、第１伝送速度の光信号の処理方路である第１方路、および、前記第１伝送速度と異なる第２伝送速度の光信号の処理方路である第２方路に導く第１インタフェース部と、
前記各方路を伝搬する前記第１方向の光信号について対応する伝送速度に応じた処理を行なう処理部と、
前記処理部にて前記処理が行なわれた光信号の伝搬方路である前記第１方路および前記第２方路を波長多重により束ね、前記光伝送路の他方側に導く第２インタフェース部と、
をそなえた中継装置。
【請求項２】
前記第１方向の光信号において、前記第２伝送速度の光信号の波長帯は、前記第１伝送速度の光信号の波長帯と一部又は全てが重複する、請求項１記載の中継装置。
【請求項３】
前記第１インタフェース部は、前記第１方向の光信号について、前記第１および第２方路の光信号に分岐し、
前記処理部は、
前記第１方向を有する前記第１方路の光信号について、前記第１伝送速度の光信号に対応する処理を行なう第１処理部と、
前記第１方向を有する前記第２方路の光信号について、前記第２伝送速度の光信号に対応する処理を行なう第２処理部と、をそなえた、請求項２記載の中継装置。
【請求項４】
前記第２処理部は、当該第２処理部への光信号の入力／非入力に応じて前記処理結果の出力を導通／遮断し、更に、前記第１処理部での前記第１伝送速度の光信号に対応する処理が行われる場合には、前記光信号の入力／非入力にかかわらず前記処理結果の出力を遮断する、請求項３項記載の中継装置。
【請求項５】
前記第１処理部は、
前記第１伝送速度の光信号についての電気段処理を経由した再生処理を行なう再生処理部と、
前記第１方路上の光信号を遅延させる第１遅延部と、を含む、請求項３記載の中継装置。
【請求項６】
前記第２処理部は、
前記第１方向の光信号を更に分岐する分岐部と、
前記分岐部で分岐された一方の方路上にそなえられ、光入力を検出する検出部と、
前記分岐部で分岐された他方の方路の光信号を遅延させる第２遅延部と、
切り替えに応じて、前記第２遅延部からの光信号についての増幅動作し、又は、前記第２方路についての光導通の遮断動作を行なう光増幅器と、
前記光増幅器を前記切り替え制御して、前記検出器にて前記光入力を検出した場合には前記増幅動作を行なわせ、前記光入力を検出しない場合、更に、前記再生処理部で前記第１伝送速度の光信号についての再生処理が行われる場合には前記増幅動作にかかわらず遮断動作を行なわせる増幅器制御部と、をそなえた、請求項３記載の中継装置。
【請求項７】
前記光増幅器は、半導体光増幅器である、請求項６記載の中継装置。
【請求項８】
前記第２インタフェース部は、前記光伝送路から前記第１方向と逆方向の第２方向を有して入力される光信号について、前記第１伝送速度の光信号の処理方路である第３方路および前記第２伝送速度の光信号の処理方路である第４方路に導くとともに、
前記処理部は、前記各方路を伝搬する前記第２方向の光信号について対応する伝送速度に応じた処理を行ない、
前記第１インタフェース部は、前記処理部にて前記処理が行なわれた前記第２方向の光信号の方路である前記第３方路および前記第４方路を束ねて、前記光伝送路に導き、
前記第１方向と逆方向である第２方向の光信号を中継する、請求項２記載の中継装置。
【請求項９】
第１伝送速度の光信号と第２伝送速度の光信号とが時間軸上で混在した光信号を処理する信号処理装置であって、
前記混在した光信号の分岐信号の一方について、前記第１伝送速度の光信号に対応する処理を行なう第１処理部と、
前記混在した光信号の分岐信号の他方について、前記第２伝送速度の光信号の入力に応じて、前記第２伝送速度の光信号に対応する処理を行なう第２処理部と、をそなえ、
前記第２処理部は、前記分岐信号の他方の入力を検出した場合には前記処理結果を出力し、前記入力を検出しない場合には前記処理結果の出力を停止し、更に、前記第１処理部での前記第１伝送速度の光信号に対応する処理が行われる場合には前記処理結果の出力を優先的に停止する、信号処理装置。
【請求項１０】
請求項１〜８のいずれか１項記載の中継装置が光伝送路上に介装された、光通信システム。
【発明の詳細な説明】
【技術分野】
【０００１】
本案件は、中継装置，信号処理装置および光伝送システムに関し、例えば、ＰＯＮ（Passive Optical Network）に適用される。
【背景技術】
【０００２】
近年、光アクセスシステムは、ＧＥ−ＰＯＮ（Gigabit Ethernet-PON）、Ｇ−ＰＯＮ（Gigabit capable-PON）など、パッシブダブルスター構成で複数の加入者を収容する、１Ｇｂｐｓクラス（以下、「Ｇｂｐｓ」は単に「Ｇ」と記述する場合がある）の伝送容量を有する光通信システムが主流として導入が進められている。
【０００３】
次世代ＰＯＮシステムとしては、通信速度の高速化のため、１０Ｇの伝送容量を持つ通信システムの適用が検討されている。またサービス範囲の拡大方法として、リピータ（中継装置）を追加することによる、長距離化・分岐数増大も検討されている。
【０００４】
このＰＯＮシステムの開発にあたり、経済的かつ効率よく伝送速度が向上されたシステムへ移行するにあたっては、伝送速度の異なるシステムの混在を許容するネットワークシステムが想定される。例えば、１Ｇのシステムと１０Ｇシステムとを混在させるものが該当する。このようなネットワークシステムにおいても、伝送距離の長距離化のためリピータを組み込むことは想定できる。
【先行技術文献】
【特許文献】
【０００５】
【特許文献１】特開２００８−１７２６４号公報
【特許文献２】特開２００２−１４１９２７号公報
【発明の概要】
【発明が解決しようとする課題】
【０００６】
上記の１Ｇ／１０Ｇ混在システム等、伝送速度の異なるシステムの混在に対応したネットワークシステムに対応可能なリピータを開発する場合、以下に示すように、１Ｇの信号および１０Ｇの信号を共通に処理することが容易でない点が検討項目になる。
【０００７】
たとえば、１Ｇの信号に対しては、波長帯が広く、光アンプでの増幅が困難である一方、１０Ｇの信号においては、波長帯が狭く、既存の光アンプで増幅可能である。従って、共通の光アンプを用いた光増幅を行なうことは容易ではない。
【０００８】
また、１Ｇの信号においては、１０Ｇの信号のような光アンプを用いた増幅処理ではなく、従来のＯ／Ｅ変換（Optical/Electrical conversion），Ｅ／Ｏ変換（Electrical/Optical conversion）を行なうリジェネレータによる処理を行なうことができる。一方、１０Ｇの信号に対してリジェネレータによる処理を行なう場合には、当該処理のためのモジュールを高性能化することが求められ、コストの増大につながる。上述の特許文献１，２に記載された技術は、上述のような検討項目について解決する技術を提供するものではない。
【０００９】
そこで、本案件の目的の一つは、異なる伝送速度を有する光信号が混在するネットワークシステムにおいて、各光信号について適切な中継処理を行なうことにある。
また、双方向に伝送される光信号において、異なる伝送速度を有する光信号が混在している場合に、伝送速度および伝送方向に応じた中継処理を行なうことも、他の目的ととらえることができる。
なお、前記目的に限らず、後述する発明を実施するための最良の形態に示す各構成又は作用により導かれる効果であって、従来の技術によっては得られない効果を奏することも本案件の他の目的として位置づけることができる。
【課題を解決するための手段】
【００１０】
（１）このため、一方向あたりで異なる伝送速度を有する光信号がそれぞれ複数種類混在して互いに反対方向の２方向に伝送される光伝送路に介装される中継装置であって、前記光伝送路の一方側から第１方向で入力される光信号について分岐し、第１伝送速度の光信号の処理方路である第１方路、および、前記第１伝送速度と異なる第２伝送速度の光信号の処理方路である第２方路に導く第１インタフェース部と、前記各方路を伝搬する前記第１方向の光信号について対応する伝送速度に応じた処理を行なう処理部と、前記処理部にて前記処理が行なわれた光信号の伝搬方路である前記第１方路および前記第２方路を波長多重により束ね、前記光伝送路の他方側に導く第２インタフェース部と、をそなえた中継装置を用いることができる。
【００１１】
（２）また、第１伝送速度の光信号と第２伝送速度の光信号とが時間軸上で混在した光信号を処理する信号処理装置であって、前記混在した光信号の分岐信号の一方について、前記第１伝送速度の光信号に対応する処理を行なう第１処理部と、前記混在した光信号の分岐信号の他方について、前記第２伝送速度の光信号の入力に応じて、前記第２伝送速度の光信号に対応する処理を行なう第２処理部と、をそなえ、前記第２処理部は、前記分岐信号の他方の入力を検出した場合には前記処理結果を出力し、前記入力を検出しない場合には前記処理結果の出力を停止し、更に、前記第１処理部での前記第１伝送速度の光信号に対応する処理が行われる場合には前記処理結果の出力を優先的に停止する、信号処理装置を用いることができる。
【００１２】
（３）また、上記（１）の中継装置が光伝送路上に介装された、光通信システムを用いることができる。
【発明の効果】
【００１３】
開示の技術によれば、１Ｇと１０ＧのＥ−ＰＯＮの光信号が混在するネットワークシステムのように、異なる伝送速度を有する光信号が混在するネットワークシステムにおいて、各光信号について適切な中継処理を行なうことができる。
また、伝送速度の異なる光信号が混在したネットワークシステムに適用可能なリピータを実現することができる。既存のＰＯＮのＯＬＴ，ＯＮＵを適用する場合は、既存のシステムのまま、サービス範囲を拡張することができるため、新たなシステムを構築する必要がなくなり、システムのトータルでのコスト削減が可能となる。
【図面の簡単な説明】
【００１４】
【図１】異なる伝送速度での光信号が混在して伝送される光伝送路を有するネットワークシステムの構成を例示する図である。
【図２】（ａ），（ｂ）はＥ−ＰＯＮでの使用波長帯を示す図であり、（ｃ），（ｄ）は光増幅器に応じた増幅波長帯を示す図である。
【図３】Ｅ−ＰＯＮでのタイムスロット内でのフォーマットを示す図である。
【図４】第１実施形態のリピータ（中継装置）を示す図である。
【図５】第１，第２透過／反射フィルタの特性を示す図である。
【図６】第３透過／反射フィルタの特性を示す図である。
【図７】第２実施形態のリピータ（中継装置）を示す図である。
【図８】第２実施形態における第２処理部を示す図である。
【図９】（ａ）〜（ｄ）は第２処理部によるＡＬＣ制御を説明する図である。
【図１０】第２処理部による導通／遮断の切り替えについて説明する図である。
【発明を実施するための形態】
【００１５】
以下、図面を参照することにより、実施形態を説明する。但し、以下に説明する実施形態は、あくまでも例示であり、以下に明示しない種々の変形や技術の適用を排除する意図は無い。即ち、本実施形態は、その趣旨に逸脱しない範囲において種々変形して実施することができる。
【００１６】
〔Ａ〕第１実施形態
図１は、異なる伝送速度（例えば、１Ｇおよび１０Ｇ）での光信号が混在して伝送される光伝送路２を有するネットワークシステム（光通信システム）１の構成を例示する図である。図１に例示するネットワークシステム１では、ＯＬＴ（Optical Line Terminal）３と、複数のＯＮＵ（Optical Network Unit）４，５と、が光信号による通信を行なう。
【００１７】
ここで、ＯＬＴ３は、伝送速度が１Ｇ／１０Ｇで共用に用いられる仕様を有する。又、ＯＮＵ４は伝送速度が１Ｇの信号について処理を、ＯＮＵ５は伝送速度が１０Ｇの信号について処理を、それぞれ行なう仕様を有するものとする。光伝送路２は、星型のネットワークトポロジを有し、光スプリッタ６およびリピータ（中継装置）７を介して、ＯＬＴ３と各ＯＮＵ４，５とを接続する。
【００１８】
図１中では、ＯＮＵ４，５が接続される光スプリッタ６は、リピータ７に対してＯＬＴ３とは反対側（即ち下流側）の光伝送路２に接続されているが、リピータ７に対してＯＬＴ３側（即ち上流側）の光伝送路２に接続されるものとしてもよい。又、リピータ７の上流および下流の光伝送路２にそれぞれ接続されるものを含んでいてもよい。
【００１９】
ここで、ＯＬＴ３およびＯＮＵ４の伝送方式には１ＧのＥ−ＰＯＮを適用できる。この場合には、図２（ａ）に示すように、１Ｇの下り信号（ＤＳ；Downstream、ＯＬＴ３からＯＮＵ４に向けた方向の光信号）の波長は1480〜1500nmである。又、１Ｇの上り信号（ＵＳ；Upstream、ＯＮＵ４からＯＬＴ３に向けた方向の光信号）の波長は1260〜1360nmである。
【００２０】
さらに、ＯＬＴ３およびＯＮＵ５の伝送方式には１０ＧのＥ−ＰＯＮを適用できる。この場合には、図２（ｂ）に示すように、１０Ｇの下り信号の波長は1574〜1580nmであり、上り信号の波長は1260〜1280nmである。従って、１０Ｇの上り信号は、１Ｇの上り信号と波長帯が重複していることになる。尚、ＯＬＴ３とＯＮＵ４，５間の伝送方式としては、例えばＧ−ＰＯＮ等の他の方式も適用できる。
【００２１】
そして、ＯＬＴ３においては、各ＯＮＵ４，５との伝送距離に応じた伝送時間差を把握した上で、上り方向の光信号として送信可能な時間（タイムスロット）をＯＮＵ４，５ごとに割り当てる。これにより、時分割多重または時分割多元接続による通信を行なう。
【００２２】
換言すれば、ＯＬＴ３では、伝送速度の異なる１Ｇおよび１０Ｇの特に上り方向の光信号間では波長帯が重複しているため、１Ｇおよび１０Ｇの上り光信号については、光波長単位で区別するのではなく、タイムスロットの割り当てにより区別している。
【００２３】
図３は、Ｅ−ＰＯＮを適用する場合において１Ｇ用のＯＮＵ４に割り当てられる一つのタイムスロット内におけるフォーマットを例示する図である。ＯＮＵ４，５ごとに、この図３に示すような割り当て期間（ＧＴ：Grant Time）に相当するタイムスロットがＯＬＴ３の制御により時間軸上に配列されるようになる。
【００２４】
ここで、ＯＮＵ４に対する一つの割り当て期間ＧＴには、図３に示すように、先頭部にＰＯＮオーバヘッド部Ｆ１が、次にデータ期間Ｆ２が、末部に消光期間Ｆ３（Toff）が、それぞれ配列される。ＰＯＮオーバヘッド部Ｆ１については、光信号の立ち上がり時間Tonと、同期期間Syncと、が配列される。
【００２５】
そして、同期期間は、入力される信号についてフレーム同期をとるための期間である。例えば、上り信号においてはＯＬＴ３又は後述のリピータ７がフレーム同期を取るための期間である。この同期期間は、Treceiver_setting，TcdrおよびTcode_group_alignを有する。
【００２６】
ここで、Treceiver_settingは、受信光波形レベルの調整期間であり、Tcdrは、受信データから受信クロックを抽出するためのビット同期期間であり、Tcode_group_alignは、受信データのバイト同期期間である。なお、上述のTreceiver_setting，Tcdrはそれぞれ400nsよりも短く、Tcode_group_alignは32ns程度とすることができる。
【００２７】
また、データ期間は、IFG（Inter Frame Gap）を挟んでデータフレームが配列される。データフレームは、時間軸上の頭から、PR，DA（Destination Address），SA（Source Address），Type/Length，PeyloadおよびFCS（Frame Check Sequence）が配列される。ここで、PRはプリアンブル期間を示し、DA，SAはそれぞれ宛て先アドレス，送信元アドレスを示すための期間である。更に、Type/Lengthは、データ属性やデータ長を示すための期間であり、Peyloadは、主信号を示すための期間であり、FCSは、誤り訂正のための情報を示す期間である。
【００２８】
なお、PRのフォーマットは、この図３に示すように、５バイトの交番符号と、それに続く２バイトのLLIDおよび８ビットのCRC8（Cyclic Redundancy Check）が配列される。尚、図３中、「０ｘ５５」は１６進表記による交番符号を示すもので、２進表記では「01010101」である。
【００２９】
ＯＮＵ４，５では、このようなフレーム構成を有する光信号を、タイムスロットにより割り当てられたタイミングで送信することにより、送信した光信号をＯＬＴ３で受信することができる。
【００３０】
このように、ＯＬＴ３においては、各ＯＮＵ４，５との間で、個別に割り当てられたタイムスロットを用いた通信により、伝送速度の異なる両者の光信号を区別するとともに、更に、送信元の個々ＯＮＵ４，５についても区別している。尚、下り信号のように波長帯が互いに重複していない割り当ての場合には、波長帯で両者の信号を区別することもできる。
【００３１】
図１に示すリピータ７は、このようなネットワークシステムにおいて、伝送距離の長距離化等のため適用され、上り方向（第１方向）および下り方向（第２方向）の光信号について、その光信号が有する伝送速度に応じた中継処理を行なう。この中継処理には、光伝送路２を伝搬する光信号を所期のレベルに増幅する処理が含まれる。
【００３２】
このとき、上述したＥ−ＰＯＮのごとき仕様をＯＬＴ３およびＯＮＵ４，５で適用する場合には、上り信号の波長帯が１Ｇと１０Ｇとで重なることになる。この場合には、１Ｇ／１０Ｇの混在システムとしては、１Ｇの信号が通過している期間は１０Ｇの光信号のための光増幅処理をオフにすることが望まれる。又、１０Ｇの光信号に対する適切な中継処理のため、バースト信号に応答して出力レベルを目標値に向けて制御（ＡＬＣ：Automatic Level Control）することも望まれる。
【００３３】
そこで、第１実施形態においては、図４に示すような構成のリピータ（中継装置）７を導入する。即ち、リピータ７においては、図２（ａ）に示すように波長帯が比較的広い１Ｇの上りおよび下りの光信号の処理のため、電気信号段での処理を経由する信号再生処理を行なう。一方、波長帯が他の信号波長帯と重ならない１０Ｇの下りの光信号に対しては、電気段での信号処理を経由せずに直接光信号に対して増幅（光増幅）を行なう。尚、図４中において、伝送速度１Ｇは「低速」に、伝送速度１０Ｇは「高速」に、それぞれ該当するが、これらの低速および高速の表記は、２つの伝送速度の相対性による区別を意図したものであり、他の伝送速度とすることを排除する趣旨はない。
【００３４】
このため、リピータ７は、図４に例示するように、第１インタフェース部１１，処理部１２および第２インタフェース部１３をそなえる。第１インタフェース部１１は、ＯＮＵ４，５側（即ち下流側）の光伝送路２に接続され、第２インタフェース部１３は、ＯＬＴ３側（即ち上流側）の光伝送路２に接続される。
【００３５】
第１方向である上り方向の光信号に着目すると、第１インタフェース部１１においては、光伝送路２の下流側から上り方向（第１方向）で入力される光信号について分岐し、分岐された光信号を第１方路ｐ１および第２方路ｐ２に導く。ここで、第１方路ｐ１は、第１伝送速度（例えば１Ｇｂｐｓ）の光信号の処理方路であり、第２方路ｐ２は、第１伝送速度と異なる第２伝送速度（例えば１０Ｇｂｐｓ）の光信号の処理方路である。
【００３６】
そして、処理部１２は、各方路ｐ１，ｐ２を伝搬する上り方向の光信号について対応する伝送速度に応じた処理を行なう。具体的には、処理部１２においては、第１インタフェース部１１から第１，第２方路ｐ１，ｐ２を通じて入力される上り光信号について、各々のタイムスロットに割り当てられる光信号の伝送速度に応じて中継処理を行なう。
【００３７】
さらに、第２インタフェース部１３は、処理部１２にて処理が行なわれた光信号の伝搬方路である第１方路ｐ１および第２方路ｐ２を波長多重により束ね、他方側であるＯＬＴ３側の光伝送路２に導く。これにより、リピータ７は上り方向の光信号を中継することができる。
【００３８】
また、第２方向である下り方向の光信号に着目すると、第２インタフェース部１２において、光伝送路２からの光信号を入力されて、波長帯ごとに、設定される第３方路ｐ３および第４方路ｐ４に導く。例えば、Ｅ−ＰＯＮにおいては、第１伝送速度（１Ｇｂｐｓ）の下り光信号と第２伝送速度（１０Ｇｂｐｓ）の下り光信号とは波長帯が異なるので、入力される光信号を波長毎に出力方路を切り替えることで、伝送速度に応じて光信号方路が分けられることになる。尚、第１実施形態においては、第３方路ｐ３については、前述の上り方向の第１方路と共通の方路ｐ１として用いることができる。
【００３９】
そして、処理部１２においては、上述の第３，第４方路ｐ３，ｐ４を伝搬する下り方向の光信号について対応する伝送速度に応じた中継処理を行なう。更に、第１インタフェース部１１は、処理部１２にて処理が行なわれた下り方向の光信号の方路である第３方路ｐ３および第４方路ｐ４を束ねて、光伝送路２に導く。これにより、リピータ７では下り方向の光信号を中継することができる。
【００４０】
ここで、第１インタフェース部１１は、第１透過／反射フィルタ（フィルタ♯１）１１ａと光カプラ１１ｂとをそなえる。第１透過／反射フィルタ１１ａは、光伝送路２と第４方路ｐ４とが透過ルートで接続されるとともに、光伝送路２と共用の第１又は第３方路ｐ１（ｐ３）および第２方路ｐ２とが反射ルートで接続されている。又、光カプラ１１ｂは、上述の共用の第１又は第３方路ｐ１，ｐ３および第２方路ｐ２と、透過／反射フィルタ１１ａの反射ルートと、の間を合流又は分岐接続する。
【００４１】
図５は上述の第１透過／反射フィルタ１１ａの波長透過／反射特性を示す図である。この図５に示すように、第１透過／反射フィルタ１１ａは、１０Ｇ（第２伝送速度）の下り光信号に該当する波長帯の光については透過する特性を有する。一方で、他の波長帯の光、即ち、１Ｇの上り及び下りの光信号並びに１０Ｇの上り光信号については反射させる特性を有している。
【００４２】
これにより、光伝送路２を通じて入力されるＯＮＵ４，５からの光信号については、第１透過／反射フィルタ１１ａで反射されて、光カプラ１１ｂで分岐されるので、それぞれ、第１，第２方路ｐ１，ｐ２に導かれるようになる。
【００４３】
また、第１インタフェース部１１には、処理部１２を通じた第４方路ｐ４から、１０Ｇの下り光信号が入力されるようになっているが、この下り光信号については第１透過／反射フィルタ１１ａを透過するので、下流側の光伝送路２に導かれるようになる。更に、処理部１２を通じた第３方路ｐ３（ｐ１）から、１Ｇの下り光信号が入力されるようになっているが、この下り光信号については、光カプラ１１ｂを介して第１透過／反射フィルタ１１ａで反射されるので、下流側の光伝送路２に導かれるようになる。
【００４４】
また、図４に示すように、第２インタフェース部１３は、第２透過／反射フィルタ（フィルタ♯１）１３ａおよび第３透過／反射フィルタ（フィルタ♯２）１３ｂをそなえる。第２透過／反射フィルタ１３ａは、光伝送路２と第４方路ｐ４とが透過ルートで接続され、光伝送路２と第３透過／反射フィルタ１３ｂとが反射ルートで接続される。
【００４５】
そして、第３透過／反射フィルタ１３ｂは、第２透過／反射フィルタ１３ａの光伝送路２の反射ルートに接続される。そして、第３透過／反射フィルタ１３ｂにおいては、この第２透過／反射フィルタ１３ａと、上り下り共用の第１および第３方路ｐ１，ｐ３とが反射ルートを介して接続される。更には、第２透過／反射フィルタ１３ａと第２方路ｐ４とが透過ルートを介して接続される。
【００４６】
第２透過／反射フィルタ１３ａについては、前述の図５の場合と同様の、換言すれば、第１透過／反射フィルタ１１ａと同等の波長透過特性を持たせることができる。更に、第３透過／反射フィルタ１３ｂは、図６に示すような波長透過特性を有している。
【００４７】
すなわち、第３透過／反射フィルタ１３ｂは、１０Ｇｂｐｓ（第２伝送速度）の上り光信号に該当する波長帯の光については透過する特性を有する。一方で、他の波長帯の光、即ち、１Ｇｂｐｓの上りの光信号における一部の波長帯（即ち１０Ｇの上り光信号との重複波長帯）を除く光信号や、１Ｇｂｐｓの下り光信号の波長帯、および１０Ｇｂｐｓの下り光信号については反射させる特性を有している。
【００４８】
これにより、光伝送路２を通じて入力されるＯＬＴ３からの光信号については、第２インタフェース部１３の第２透過／反射フィルタ１３ａで、１０Ｇの光信号は透過されて第４光方路ｐ４に導かれる一方で、１Ｇの光信号は反射される。そして、第３透過／反射フィルタ１３ｂは、第２透過／反射フィルタ１３ａで反射された１Ｇの下り光信号について更に反射させて、第３方路ｐ３（ｐ１）に導く。
【００４９】
また、第２インタフェース部１３には、処理部１２から第１方路ｐ１を通じて１Ｇの上り光信号が、処理部１２から第２方路ｐ２を通じて１０Ｇの上り信号が入力されるようになっている。
【００５０】
ここで、１Ｇの上り光信号については、第３透過／反射フィルタ１３ｂおよび第２透過／反射フィルタ１３ａで反射されて、光伝送路２に送出されるようになる。１Ｇの上り光信号については、後述の処理部１２にて第３透過／反射フィルタ１３ｂで全成分が反射されるように波長変換されているためである。一方、１０Ｇの上り光信号については、第３透過／反射フィルタ１３ｂを透過するとともに、第２透過／反射フィルタ１３ａで反射されて、光伝送路２に送出される。
【００５１】
また、処理部１２においては、第１インタフェース部１１から入力される上り光信号について、各々のタイムスロットに割り当てられる光信号の伝送速度に応じて中継処理を行ない、処理結果の光信号を、第２インタフェース部１３を通じ光伝送路２に送出する。同様に、第２インタフェース部１３から入力される上り光信号について、各々のタイムスロットに割り当てられる光信号の伝送速度に応じて中継処理を行ない、処理結果の光信号を第１インタフェース部１１を通じて光伝送路２に送出する。このため、処理部１２は、第１〜第３処理部１２−１〜１２−３を有する。
【００５２】
第１処理部１２−１は、第１インタフェース部１１からの、上り方向を有する第１方路ｐ１の光信号について、１Ｇの光信号に対応する中継処理を行なう。即ち、第１処理部１２−１には１Ｇの光信号とともに１０Ｇの光信号が混在した状態で入力されるが、電気段処理を介した１Ｇ信号の再生処理を行なうので、この再生処理により１０Ｇ相当の光信号の出力は遮断され、１Ｇ相当の光信号が出力されるようになる。
【００５３】
たとえば、第１処理部１２−１としては、１Ｇ相当の信号について同期処理を伴う信号再生処理を行なうリジェネレータ（ＲＥＧ）１２ａと、光遅延線１２ｂと、を含む。このリジェネレータ１２ａとしての処理においては、１Ｇ用のＯＮＵ４のために割り当てられたタイムスロットにおいて、Sync（図３参照）に基づく１Ｇのクロック信号の抽出等の同期処理が含まれる。
【００５４】
このとき、１０Ｇ用のＯＮＵ５のために割り当てられたタイムスロットにおいては、リジェネレータ１２ａでは１０Ｇの信号については再生処理が行なわれず、そのクロック信号も抽出しない。即ち、リジェネレータ１２ａでは、少なくとも、１０Ｇの光信号に割り当てられるタイムスロットにおいては、プリアンブルPRにおけるLLIDを読み出すことができない。このため、当該タイムスロットにおいては、１Ｇ信号のタイムスロットとしての処理は行なわれず、信号再生処理が行なわれた光信号も出力されない。
【００５５】
さらに、リジェネレータ１２ａにおいては、第１方路から入力される１Ｇの光信号について、電気段処理後のＥ／Ｏ変換処理により、入力される光信号の波長帯を狭める変換を行なう。具体的には、第２インタフェース部１３の第３透過／反射フィルタ１３ｂおよび第２透過／反射フィルタ１３ａにおいて、１Ｇの上り光信号の全成分が反射して第２透過／反射フィルタ１３ａに導かれるように波長変換される。
【００５６】
たとえば、第２透過／反射フィルタ１３ａにおいては、１Ｇの上り光信号として入力される光の波長帯（例えば１．２６〜１．３６μｍ）の全帯域を反射する特性を有する。これに対し、第３透過／反射フィルタ１３ｂにおいては、１０Ｇの上り光信号の波長帯である１．２６〜１．２８μｍの波長帯の光については透過するようになっている。
【００５７】
そこで、リジェネレータ１２ａでは、１Ｇの上り光信号として入力される光の波長帯（例えば１．２６〜１．３６μｍ）について、第３透過／反射フィルタ１３ｂの反射波長帯に相当する１．２９〜１．３６μｍの波長帯の光信号に変換している。これにより、１Ｇの上り光信号が、第３，第２透過／反射フィルタ１３ｂ，１３ａを通じてＯＬＴ３側の光伝送路２に送出されるようになっている。
【００５８】
すなわち、リジェネレータ１２ａでの波長変換により、１Ｇ上り信号の波長帯を１０Ｇ上り信号の波長帯との重複が避けられる。これにより、１Ｇ／１０Ｇ上り信号の合流部に光カプラではなく、光フィルタ１３ｂを用いることができ、損失を抑えることができるとともに、第２処理部１２−２の要素であるＳＯＡ（Semiconductor Optical Amplifier：半導体光増幅器）１２ｇの余分なＡＳＥ成分のカットフィルタとしても働かせることができる。また、ＳＯＡ１２ｇは光非入力のときはオフ状態であるため、リピータ７の上流にＯＮＵがそなえられる場合の上り信号に当該ＳＯＡ１２ｇから発生するＡＳＥが重なることを回避している。
【００５９】
また、リジェネレータ（再生処理部）１２ａは、第１方路ｐ１と共用の第３方路ｐ３からの下り方向を有する光信号について信号再生処理を行なう。前述の第２インタフェース部１３において、入力される下り光信号において、第３方路ｐ３へは１Ｇの伝送速度を有する光信号が導かれ、１０Ｇの伝送速度を有する光信号については第４方路ｐ４へ導かれる。従って、第１処理部１２ａにおいては、下り方向の１Ｇの光信号について信号再生処理を行なうことができるようになっている。
【００６０】
さらに、第１処理部１２−１をなす光遅延線（第１遅延部）１２ｂは、第１方路ｐ１（第３方路ｐ３）を伝搬する光信号に遅延を与える。これにより、第１，第２インタフェース部１１，１３間の第１方路ｐ１を伝搬する光信号の伝搬時間と、第１，第２インタフェース部１１，１３間の第２方路ｐ２を伝搬する光信号の伝搬時間と、を整合させることができる。
【００６１】
また、第２処理部１２−２は、上り方向（第１方向）を有する第２方路ｐ２の光信号について、第２伝送速度である１０Ｇの光信号に対応する処理を行なう。第１実施形態においては、図６に示すように、光カプラ１２ｄ，フォトダイオード１２ｅ，光遅延線（第２遅延部）１２ｆ，ＳＯＡ１２ｇおよびＳＯＡ制御部１２ｈをそなえる。
【００６２】
光カプラ１２ｄは、第１インタフェース部１１から第２方路ｐ２を通じて入力される光信号（１Ｇ，１０Ｇの光信号の混在信号）の一部をフォトダイオード１２ｅに導くとともに、残りを光遅延線１２ｆに導く。
【００６３】
フォトダイオード（検出器）１２ｅは、光カプラ１２ｄからの光入力を検出し、例えば、タイムスロット期間ごとの光信号レベルを検出できるような応答速度を有するものを用いる。ただし、ビット単位の変動までも検出する速度までは必須ではない。
【００６４】
ＳＯＡ１２ｇは、ＳＯＡ制御部１２ｈからの制御を受けて、光カプラ１２ｄから光遅延線１２ｆを介して入力される光信号を増幅する。従って、ＳＯＡ１２ｇは、切り替えに応じて、光遅延線１２ｆからの光信号についての増幅動作し、又は、第２方路ｐ２についての光導通の遮断動作を行なう光増幅器である。
【００６５】
具体的には、ＳＯＡ制御部１２ｈは、フォトダイオード１２ｅにおいて光入力を検出されない状態においては、ＳＯＡ１２ｇをオフ制御することにより、第２インタフェース部１３側への光信号を遮断させる。一方、フォトダイオード１２ｅにおいて光入力を検出すると、ＳＯＡ１２ｇをオン制御することにより、光遅延線１２ｆを通じて入力される光信号を第２インタフェース部１３側に導通させる。このとき、ＳＯＡ１２ｇにおいては１０Ｇの光信号としての所期の中継処理（光増幅）を行なう。又、増幅率を光入力レベルに応じて出力レベルが一定となるように制御（ＡＬＣ制御）するようにしてもよい。
【００６６】
換言すれば、ＳＯＡ制御部１２ｈは、ＳＯＡ１２ｇを切り替え制御して、フォトダイオード１２ｅにて光入力を検出した場合には増幅動作を行なわせ、光入力を検出しない場合、更に、前記再生処理部で前記第１伝送速度の光信号についての再生処理が行われる場合には前記増幅の動作にかかわらず遮断動作をそれぞれ行なわせる増幅器制御部である。
【００６７】
なお、ＳＯＡ制御部１２ｈにおいては、フォトダイオード１２ｅから、入力光強度に応じたレベルの電気信号を取り込むようになっている。そして、この電気信号のレベルについての閾値判断によって、光入力の有無を検出している。この場合において、制御の安定化のため、光入力を有りとする閾値よりも、光入力が有りとする場合から消光状態（光が入力されなくなった状態）に移行したことを判定するための閾値を、小さい値としてもよい。
【００６８】
また、光遅延線１２ｆは、フォトダイオード１２ｅにて光入力が検出される光信号の先頭が入力される前に、ＳＯＡ１２ｇのオン制御が完了できているような遅延時間を与える。さらに、この遅延時間は、以下に示すように、リジェネレータ１２ａで１Ｇ信号の同期を確立するために十分なタイムスロット先頭からの時間とすることができる。ＧＥ−ＰＯＮでは、１Ｇ信号のタイムスロットの同期を確立するには、前述の図３に示すSyncの時間が少なくとも必要である。第１実施形態の光遅延線１２ｆにおいては、少なくともSyncの時間よりも長い１μｓの時間を遅延時間として与えるようになっている。
【００６９】
すなわち、前述の第１インタフェース部１１においては、第１処理部１２−１の要素であるリジェネレータ１２ａおよび第２処理部１２−２の要素であるＳＯＡ２３ａに対して、１Ｇおよび１０Ｇの光信号の混在信号を出力する。このため、１Ｇ用の光信号を処理する第１処理部１２−１の出力と、１０Ｇ用の光信号を処理する第２処理部１２−２の出力との衝突を回避させることが必要である。
【００７０】
そこで、ＳＯＡ制御部１２ｈにおいては、第１処理部１２−１のリジェネレータ１２ａから、リジェネレータ１２ａにおいて１Ｇ信号の同期処理が行なわれているか否かの信号を受け取る。そして、リジェネレータ１２ａにおいて１Ｇ信号の同期処理が行なわれている場合には、当該タイムスロットは１０Ｇではなく１Ｇの光信号に割り当てられているので、フォトダイオード１２ｅでの光入力の検出にかかわらず、ＳＯＡ１２ｇを強制的にオフ制御する。これにより、第１処理部１２−１および第２処理部１２−２からの出力の衝突を回避することができる。
【００７１】
一方、１０Ｇの光信号が割り当てられているタイムスロットにおいては、リジェネレータ１２ａでは信号の同期を取ることができず、信号として認識されないので、再生処理された光信号についても第２インタフェース１３に出力されない。一方、第２処理部１２−２においては、光入力の検出に応じてＳＯＡ１２ｇをオン制御しているので、第２インタフェース部１３に出力される。
【００７２】
なお、１Ｇのタイムスロットから１０Ｇのタイムスロットに移行する場合において、ＳＯＡ制御部１２ｈでは、１Ｇ信号の同期が外れたことを通知する信号をリジェネレータ１２ａから受け取る。ＳＯＡ制御部１２ｈにおいては、この同期外れを通知する信号により、ＳＯＡ１２ｇの強制的なオフ制御を解除する。これにより、ＳＯＡ制御部１２ｈにおいては、１Ｇのタイムスロットに続く１０Ｇのタイムスロットの先頭から、ＳＯＡ１２ｇのオン制御を行なうことが可能となる。換言すれば、前段タイムスロットでのＳＯＡ１２ｇの強制的なオフ制御が、後段の１０Ｇのタイムスロットまで引き継がれることを回避できる。
【００７３】
また、第３処理部１２−３は、下り方向（第２方向）を有する第４方路ｐ４の光信号について、第２伝送速度である１０Ｇの光信号に対応する処理を行なう。即ち、第３処理部１２−３には、第４方路ｐ４を伝搬する１０Ｇの光信号の波長帯である1574〜1580nm（図２（ｂ）参照）の光が入力される。第３処理部１２−３では、例えば上述の第４方路ｐ４を通じで入力される光信号の波長帯を光増幅帯域に含む光増幅器を適用する。例えば、ＳＯＡを用いることができる。
【００７４】
図２（ｃ）は、第２処理部１２−２のＳＯＡ１２ｇでの増幅波長帯（Ｃ１）と、第３処理部１２−３としてのＳＯＡの増幅波長帯（Ｃ２）と、を示す図である。ＳＯＡ１２ｇは、１０Ｇの上り光信号の波長帯（1260〜1280nm、図２（ｂ）参照）をカバーする増幅波長帯を有する。一方、１Ｇの上り光信号の波長帯（1260〜1360nm、図２（ａ）参照）の全帯域についてはカバーしていない。これは、１Ｇの上り光信号に対して光増幅による中継処理ではなく、リジェネレータ１２ａでの処理を行なっている理由でもある。
【００７５】
また、第３処理部１２−３としてのＳＯＡは、１０Ｇの下り光信号についての波長帯をカバーする帯域Ｃ２を有することができる。尚、図２（ｄ）に示すように、第３処理部１２−３としてＥＤＦＡ（Erbium Doped Fiber Amplifier）を用いる場合においても、１０Ｇの下り光信号についての波長帯を増幅波長帯としてカバーすることも可能である。
【００７６】
これにより、上り信号に着目すると、１Ｇのタイムスロットにおいては第１処理部１２−１で中継処理が行なわれた、１Ｇの光信号が第２インタフェース部１３を通じてＯＬＴ３側の光伝送路２に出力される。又、１０Ｇのタイムスロットにおいては、第２処理部１２−２で中継処理が行なわれた、１０Ｇの光信号が第２インタフェース部１３を通じてＯＬＴ３側の光伝送路２に出力される。
【００７７】
すなわち、Ｅ−ＰＯＮのように、異なる伝送速度を有する複数の上り信号の波長帯の一部が重複している場合においても、第１，第２処理部１２−１，１２−２においてそれぞれ伝送速度に応じた中継処理を行なうことができる。
【００７８】
なお、下り信号に着目すると、Ｅ−ＰＯＮでは、１Ｇの伝送速度を有する下り信号と１０Ｇの伝送速度を有する下り信号は互いに重複のない波長帯が設定されている。従って、第２インタフェース部１３のように１Ｇおよび１０Ｇの光信号を波長帯で分離させて、それぞれ別個の光方路ｐ３，ｐ４に導くことで、異なる伝送速度の光信号を分離させることができる。そして、個別の光方路ｐ３，ｐ４上にそなえられるリジェネレータ１２ａおよびＳＯＡ１２−３により、１Ｇおよび１０Ｇの光信号ごとの中継処理を行なうことができるようになる。
【００７９】
このように、第１実施形態によれば、１Ｇと１０ＧのＥ−ＰＯＮの光信号が混在するネットワークシステムのように、異なる伝送速度を有する光信号が混在するネットワークシステムにおいて、各光信号について適切な中継処理を行なうことができる。
【００８０】
また、第１，第２インタフェース部１１，１３および処理部１２からなる中継装置により、異なる伝送速度を有する光信号が混在している場合に、伝送速度および伝送方向に応じた中継処理を行なうことができる利点もある。
【００８１】
〔ｂ〕第２実施形態
図７は第２実施形態におけるネットワークシステム２０を示す図である。図７に示すネットワークシステム２０においても、１Ｇおよび１０ＧのＥ−ＰＯＮによる光信号を送受信するＯＬＴ３およびＯＮＵ４，５をそなえているが、そのネットワーク構成が前述の図１に示すものと異なる。
【００８２】
すなわち、ネットワークシステム２０においては、光伝送路２上にリピータ７Ａが介装されているが、ＯＬＴ３との間で、このリピータ７Ａを経由しない光伝送路２と接続されるＯＮＵ４，５を含む。
【００８３】
具体的には、スプリッタ６−１は、ＯＬＴ３との間でリピータ７Ａを経由しない光伝送路２を介して接続されて、この光伝送路２について２分岐し、一方はリピータ７Ａが介装される光伝送路２側に、他方は、互いに縦続接続されたスプリッタ６−１１〜６−１３を介してＯＮＵ４１，５１に接続されている。
【００８４】
また、スプリッタ６−２は、ＯＬＴ３との間でリピータ７Ａを経由した光伝送路２を介して接続されて、この光伝送路２を分岐して、縦続接続されたスプリッタ６−２１〜６−２２を介してＯＮＵ４２，５２に接続されている。例えば、ＯＮＵ４１，４２は、ともに１Ｇ用のＥ−ＰＯＮの光信号を送受信するが、ＯＬＴ３との伝送距離や中継するリピータ７Ａの有無等が異なっている。又、ＯＮＵ５１，５２についても、ともに１０Ｇ用のＥ−ＰＯＮの光信号を送受信するが、ＯＬＴ３との伝送距離や中継するリピータ７Ａの有無等が異なっている。
【００８５】
なお、リピータ７Ａについては、図７中では１個を光伝送路２上に介装しているが、ＯＬＴ３とＯＮＵ４１，４２，５１，５２との間で送受信される光信号の品質を確保すべく、例えば８０ｋｍ以上の伝送区間を有する個所等に適宜リピータ７Ａを介装してもよい。
【００８６】
第２実施形態におけるリピータ７Ａにおいても、第１実施形態の場合と同様に、Ｅ−ＰＯＮのごとき異なる伝送速度を有する複数の上り信号の波長帯の一部が重複している場合において、それぞれの伝送速度の光信号に応じた中継処理を行なう。
【００８７】
そして、リピータ７Ａにおいては、前述の第１実施形態におけるリピータ７と同様の、第１，第２インタフェース部１１，１３をそなえているが、処理部１２Ａの構成が異なっている。即ち、処理部１２Ａは、図４に示すものと同様の第１処理部１２−１（１２ａ，１２ｂ）および第３処理部１２−３をそなえるとともに、図４に示すものと異なる第２処理部１２−２Ａをそなえる。尚、図７中、図４と同一の符号はほぼ同様の部分を示す。
【００８８】
すなわち、第２処理部１２−２Ａは、図８に示すように、光カプラ２１ａ〜２１ｄ，フォトダイオード２２ａ〜２２ｄ，ＳＯＡ２３ａ，２３ｂ，光遅延線２４およびＳＯＡ制御部２５をそなえる。
【００８９】
光カプラ２１ａ〜２１ｄはそれぞれ入力される第２方路ｐ２を伝搬する光信号（１Ｇ，１０Ｇの光信号の混在信号）を分岐し、一方を対応するフォトダイオード２２ａ〜２２ｄに、他方を第１方路ｐ１の後段に導く。ここで、光カプラ２１ａはＳＯＡ２３ａの入力側に、光カプラ２１ｂはＳＯＡ２３ａの出力側にそれぞれそなえられる。同様に、光カプラ２１ｃはＳＯＡ２３ｂの入力側に、光カプラ２１ｄはＳＯＡ２３ｂの出力側にそれぞれそなえられる。
【００９０】
なお、ＳＯＡ２３ａと、その入出力側の光カプラ２１ａ，２１ｂおよびフォトダイオード２２ａ，２２ｂにより、一体化された光増幅モジュールとすることができる。同様に、ＳＯＡ２３ｂと、その入出力側の光カプラ２１ｃ，２１ｄおよびフォトダイオード２２ｃ，２２ｄにより、一体化された光増幅モジュールとすることができる。
【００９１】
また、フォトダイオード２２ａ〜２２ｄは、対応する光カプラ２１ａ〜２１ｄからの光信号のレベルについてモニタする。ＳＯＡ２３ａ，２３ｂは、ＳＯＡ制御部２５からの制御を受けて、それぞれ光カプラ２１ａ，２１ｃから第２方路ｐ２を通じて入力される光信号を増幅する。
【００９２】
具体的には、ＳＯＡ制御部２５では、入力側のＳＯＡ２３ａについては光入力の有無にかかわらず常時オン制御する。これに対し、出力側のＳＯＡ２３ｂについては、フォトダイオード２２ａ（又は２２ｂ）において光入力を検出されない状態においてはオフ制御することにより、第２インタフェース部１３側への光信号を遮断させる。そして、フォトダイオード２２ａ（又は２２ｂ）において光入力を検出すると、ＳＯＡ２３ｂをオン制御することにより、光遅延線２４，光カプラ２１ｃを通じて入力される光信号を第２インタフェース部１３側に導通させる。
【００９３】
このとき、ＳＯＡ２３ｂにおいては１０Ｇの光信号としての所期の中継処理（光増幅）を行なう。又、ＳＯＡ制御部２５では、図９に例示するように、ＳＯＡ２３ｂの増幅率について、フォトダイオード２２ｃ，２２ｄからのモニタ結果に応じてＡＬＣ（Automatic Level Control）制御するようにしてもよい。
【００９４】
なお、ＳＯＡ制御部２５においては、フォトダイオード２２ａ（２２ｂ）から、入力光強度に応じたレベルの電気信号を取り込むようになっている。そして、この電気信号のレベルについての閾値判断によって、光入力の有無を検出している。この場合において、制御の安定化のため、光入力を有りとする閾値よりも、光入力が有りとする場合から消光状態（光が入力されなくなった状態）に移行したことを判定するための閾値を、小さい値としてもよい。
【００９５】
また、光遅延線２４は、フォトダイオード２２ａ（２２ｂ）にて光入力が検出される光信号の先頭が入力される際に、ＳＯＡ制御部２５によるＳＯＡ２３ｂのオン制御が完了できているような遅延時間を与える。この遅延時間は、フォトダイオード２２ａ（２２ｂ），ＳＯＡ制御部２５およびＳＯＡ２３ｂの応答時間等をもとに設定される。
【００９６】
図９は上述のＳＯＡ制御部２５によるＳＯＡ２３ｂのＡＬＣ制御について説明する図である。リピータ７Ａには、下流側のＯＮＵ４２，５２から、それぞれに割り当てられたタイムスロットにおいて、ＯＬＴ３宛ての光信号がバースト光信号として入力される。
【００９７】
たとえば、図９の（ａ）に示すように、ＯＮＵ４２，５２からのバースト光信号♯１〜♯３が、第１インタフェース部１１を介してＳＯＡ２３ａに入力される。尚、図示のバースト光信号♯１〜♯３は、それぞれ、連続したタイムスロットにおける異なるＯＮＵ４２，５２からの光信号とすることができる。
【００９８】
運用中は常時オン制御されているＳＯＡ２３ａは、一定の利得で入力光信号を増幅する。例えば、１０Ｇの光信号のパワーは伝送距離の影響を比較的受けやすいことが想定できるので、送信元のＯＮＵ５２に応じて入力光信号のレベルに、バースト光信号♯１〜♯３のようなバラツキが生じていることがある。ＳＯＡ２３ａでは一定の利得で増幅するので、図９（ｂ）に例示するように、バラツキが生じたままのレベルで増幅が行われることになる。
【００９９】
そして、ＳＯＡ２３ｂには、ＳＯＡ２３ａを出力された光信号が光遅延線２４において１μｓの遅延が与えられたものについて、ＡＬＣ制御を行なう。ＰＤ２２ａ（又は２２ｂ）は、バースト信号として入力される光信号レベルを検出できる応答速度を有する。そして、ＳＯＡ制御部２５では、このＰＤ２２ａ（２２ｂ）で検出された光信号レベルに応じて、ＳＯＡ２３ｂの利得を制御する。
【０１００】
ＳＯＡ制御部２５における上述のＳＯＡ２３ｂの利得制御は、光遅延線２４に入力される前段の光信号のレベルに応じて制御を行なっているので、ＳＯＡ２３ｂの利得制御の環境が整ったのちに該当の光信号を迎え入れることができる。尚、光遅延線２４での遅延時間については、第１実施形態における光遅延線１２ｆと同様に設定することができる。
【０１０１】
たとえば、図９（ｂ）に示すように、バースト信号である光信号♯１〜♯３が光遅延線２４で遅延されてから、利得制御されているＳＯＡ２３ｂに入力されるので（図９（ｃ））、ＳＯＡ２３ｂでは一定レベルのバースト光信号♯１〜♯３を出力することができる（図９（ｄ））。
【０１０２】
また、前述の第１インタフェース部１１においては、第１処理部１２−１の要素であるリジェネレータ１２ａおよび第２処理部１２−２の要素であるＳＯＡ２３ａに対して、１Ｇおよび１０Ｇの光信号の混在信号を出力する。このため、１Ｇ用の光信号を処理する第１処理部１２−１の出力と、１０Ｇ用の光信号を処理する第２処理部１２−２の出力との衝突を回避させることが必要である。
【０１０３】
そこで、ＳＯＡ制御部２５においては、第１処理部１２−１のリジェネレータ１２ａから、リジェネレータ１２ａにおいて１Ｇ信号の同期処理が行なわれているか否かの信号を受け取る。そして、リジェネレータ１２ａにおいて１Ｇ信号の同期処理が行なわれている場合には、当該タイムスロットは１０Ｇではなく１Ｇの光信号に割り当てられているので、ＳＯＡ２３ｂを強制的にオフ制御（遮断制御）する（図１０のｔ３−ｔ６）。
【０１０４】
このとき、リジェネレータ１２ａにおいては、１Ｇ用のタイムスロットの同期確立のためには、少なくとも図３に示すSyncの時間＋LLIDの識別時間である８５０ns程度を要する（図１０の時点ｔ１−ｔ２）。光遅延線２４では、ＳＯＡ２３ａから出力された１Ｇ用のタイムスロットの光信号について遅延させる。即ち、対応する１Ｇの光信号がリジェネレータ１２ａで同期確立した際の信号を受け取ってＳＯＡ２３ｂをオフ制御するのに要する時間が、該当の１Ｇ光信号のＳＯＡ２３ｂへの入力前となる十分な遅延時間（ここでは１μｓ）を遅延させている（図１０の時点ｔ１−ｔ３，続くタイムスロットについての時点ｔ４−ｔ６）。
【０１０５】
また、１Ｇのタイムスロットから１０Ｇのタイムスロットに移行する場合などのように、リジェネレータ１２ａによる同期確立が外れる場合は、ＳＯＡ制御部２５では、１Ｇ信号の同期が外れたことを通知する信号をリジェネレータ１２ａから受け取る。ＳＯＡ制御部２５においては、この同期外れを通知する信号により、ＳＯＡ２３ｂの強制的なオフ制御を解除し、１Ｇのタイムスロットに続く１０Ｇのタイムスロットの先頭から、ＳＯＡ１２ｇのオン制御（導通制御）を行なう。換言すれば、前段タイムスロットでのＳＯＡ２３ｂの強制的なオフ制御が１０Ｇのタイムスロットまで引き継がれることを回避できる（図１０のｔ６）。
【０１０６】
すなわち、１０Ｇの光信号が割り当てられているタイムスロットにおいては、リジェネレータ１２ａでは信号の同期を取ることができず、信号として認識されないので、再生処理された光信号についても第２インタフェース１３に出力されない。一方、第２処理部１２−２Ａにおいては、ＳＯＡ制御部２５においてリジェネレータ１２ａからの同期外れを通知する信号により上述の強制オフ制御を解除するので、ＡＬＣ制御された光信号を第２インタフェース部１３に出力できる。
このように、第２実施形態によれば、前述の第１実施形態の場合と同様の利点を得ることができる。
【０１０７】
〔ｃ〕その他
上述した実施形態にかかわらず、開示技術の趣旨を逸脱しない範囲において種々変形して実施することができる。
たとえば、伝送速度の異なる光信号として１Ｇおよび１０ＧのＥ−ＰＯＮの光信号を伝搬するネットワークシステムについて説明したが、他の伝送速度の光信号の組み合わせとすることとしてもよいし、又、例えばＧ−ＰＯＮ等の光信号とすることもできる。
また、上述の第２実施形態において、ＳＯＡ２３ａとＳＯＡ２３ｂとの間に、前述の第３透過／反射フィルタ１３ｂと同様の特性を有し、１０Ｇの上り光信号の波長帯を透過させるフィルタを介装することとしてもよい。このようにすれば、第２インタフェース部１３を通じて出力される１０Ｇの上り光信号に含まれるＡＳＥ成分をより抑制させることができる。
【０１０８】
〔ｄ〕付記
以上の実施形態に関し、更に下記の付記を開示する。
（付記１）
一方向あたりで異なる伝送速度を有する光信号がそれぞれ複数種類混在して互いに反対方向の２方向に伝送される光伝送路に介装される中継装置であって、
前記光伝送路の一方側から第１方向で入力される光信号について分岐し、第１伝送速度の光信号の処理方路である第１方路、および、前記第１伝送速度と異なる第２伝送速度の光信号の処理方路である第２方路に導く第１インタフェース部と、
前記各方路を伝搬する前記第１方向の光信号について対応する伝送速度に応じた処理を行なう処理部と、
前記処理部にて前記処理が行なわれた光信号の伝搬方路である前記第１方路および前記第２方路を波長多重により束ね、前記光伝送路の他方側に導く第２インタフェース部と、
をそなえた中継装置。
【０１０９】
（付記２）
前記第１方向の光信号において、前記第２伝送速度の光信号の波長帯は、前記第１伝送速度の光信号の波長帯と一部又は全てが重複する、付記１記載の中継装置。
【０１１０】
（付記３）
前記第１インタフェース部は、前記第１方向の光信号について、前記第１および第２方路の光信号に分岐し、
前記処理部は、
前記第１方向を有する前記第１方路の光信号について、前記第１伝送速度の光信号に対応する処理を行なう第１処理部と、
前記第１方向を有する前記第２方路の光信号について、前記第２伝送速度の光信号に対応する処理を行なう第２処理部と、をそなえた、付記２記載の中継装置。
【０１１１】
（付記４）
前記第２処理部は、当該第２処理部への光信号の入力／非入力に応じて前記処理結果の出力を導通／遮断し、更に、前記第１処理部での前記第１伝送速度の光信号に対応する処理が行われる場合には、前記光信号の入力／非入力にかかわらず前記処理結果の出力を遮断する、付記３項記載の中継装置。
【０１１２】
（付記５）
前記第１処理部は、
前記第１伝送速度の光信号についての電気段処理を経由した再生処理を行なう再生処理部と、
前記第１方路上の光信号を遅延させる第１遅延部と、を含む、付記３記載の中継装置。
【０１１３】
（付記６）
前記第２処理部は、
前記第１方向の光信号を更に分岐する分岐部と、
前記分岐部で分岐された一方の方路上にそなえられ、光入力を検出する検出部と、
前記分岐部で分岐された他方の方路の光信号を遅延させる第２遅延部と、
切り替えに応じて、前記第２遅延部からの光信号についての増幅動作し、又は、前記第２方路についての光導通の遮断動作を行なう光増幅器と、
前記光増幅器を前記切り替え制御して、前記検出器にて前記光入力を検出した場合には前記増幅動作を行なわせ、前記光入力を検出しない場合、更に、前記再生処理部で前記第１伝送速度の光信号についての再生処理が行われる場合には前記増幅動作にかかわらず遮断動作を行なわせる増幅器制御部と、をそなえた、付記３記載の中継装置。
【０１１４】
（付記７）
前記光増幅器は、半導体光増幅器である、付記６記載の中継装置。
【０１１５】
（付記８）
前記第２インタフェース部は、前記光伝送路から前記第１方向と逆方向の第２方向を有して入力される光信号について、前記第１伝送速度の光信号の処理方路である第３方路および前記第２伝送速度の光信号の処理方路である第４方路に導くとともに、
前記処理部は、前記各方路を伝搬する前記第２方向の光信号について対応する伝送速度に応じた処理を行ない、
前記第１インタフェース部は、前記処理部にて前記処理が行なわれた前記第２方向の光信号の方路である前記第３方路および前記第４方路を束ねて、前記光伝送路に導き、
前記第１方向と逆方向である第２方向の光信号を中継する、付記２記載の中継装置。
【０１１６】
（付記９）
前記第１および第３方路は共用の方路であり、
前記第１処理部は、前記共用の第１および第３方路の光信号について、前記第１伝送速度の光信号に対応する処理を行なう一方、
前記処理部は、
前記第４方路の光信号について、前記第２伝送速度の光信号の入力に応じて、前記第２伝送速度の光信号に対応する処理を行なう第３処理部を更にそなえた、付記８記載の中継装置。
【０１１７】
（付記１０）
前記第１方向と逆方向の第２方向の光信号において、前記第１伝送速度の光信号の波長帯と前記第２伝送速度の光信号の波長帯とは重複していない、付記１〜９のいずれか１項記載の中継装置。
【０１１８】
（付記１１）
前記第１インタフェース部は、
前記伝送路と前記第４方路とが透過ルートで接続されるとともに、前記伝送路と前記共用の第１又は第３方路および前記第２方路とが反射ルートで接続された第１透過／反射フィルタと、
前記共用の第１又は第３方路および前記第２方路と、前記透過／反射フィルタの反射ルートと、の間を合流／分岐接続する光カプラと、をそなえ、
前記第２インタフェース部は、
前記伝送路と前記第４方路とが透過ルートで接続された第２透過／反射フィルタと、
前記第２透過／反射フィルタの前記光伝送路に対する反射ルートに接続された第３透過／反射フィルタであって、前記第２透過／反射フィルタと前記共用の第１および第３方路とが反射ルートを介して接続されるとともに、前記第２透過／反射フィルタと前記第２方路とが透過ルートを介して接続される第３透過／反射フィルタと、をそなえた、付記８〜１０のいずれか１項記載の中継装置。
【０１１９】
（付記１２）
前記第１方向の光信号において、前記第２伝送速度の光信号の波長帯は、前記第１伝送速度の光信号の波長帯と一部又は全てが重複しており、
前記第１方向と逆方向の第２方向の光信号において、前記第１伝送速度の光信号の波長帯と前記第２伝送速度の光信号の波長帯とは互いに重複せず、且つ前記第１方向の光信号の波長帯とも互いに重複しない配置であり、
前記第１透過／反射フィルタおよび前記第２透過／反射フィルタは、透過波長帯が前記第２方向の前記第２伝送速度の光信号の波長帯とする一方、それ以外は反射波長帯に設定され、
前記第３透過／反射フィルタは、透過波長帯が前記第１方向の前記第２伝送速度の光信号の波長帯であり、それ以外は反射波長帯に設定された、付記１１記載の中継装置。
【０１２０】
（付記１３）
該第１処理部は、前記第１方向を有する前記第１伝送速度の光信号について、前記第３透過／反射フィルタにて全ての波長帯域成分全てが反射されるように波長変換を行なう、付記１２記載の中継装置。
【０１２１】
（付記１４）
第１伝送速度の光信号と第２伝送速度の光信号とが時間軸上で混在した光信号を処理する信号処理装置であって、
前記混在した光信号の分岐信号の一方について、前記第１伝送速度の光信号に対応する処理を行なう第１処理部と、
前記混在した光信号の分岐信号の他方について、前記第２伝送速度の光信号の入力に応じて、前記第２伝送速度の光信号に対応する処理を行なう第２処理部と、をそなえ、
前記第２処理部は、前記分岐信号の他方の入力を検出した場合には前記処理結果を出力し、前記入力を検出しない場合には前記処理結果の出力を停止し、更に、前記第１処理部での前記第１伝送速度の光信号に対応する処理が行われる場合には前記処理結果の出力を優先的に停止する、信号処理装置。
【０１２２】
（付記１５）
付記１〜１３のいずれか１項記載の中継装置が光伝送路上に介装された、光通信システム。
【符号の説明】
【０１２３】
１，２０    光ネットワークシステム
２    光伝送路
３    ＯＬＴ
４，５，４１，４２，５１，５２    ＯＮＵ
６，６−１，６−１１〜６−１３，６−２，６−２１，６−２２    スプリッタ
７，７Ａ    リピータ（中継装置）
１１    第１インタフェース部
１１ａ    第１透過／反射フィルタ
１２，１２Ａ    処理部
１２−１    第１処理部
１２−２，１２−２Ａ    第２処理部
１２−３    第３処理部
１２ａ    リジェネレータ
１２ｂ    光遅延線
１２ｄ    光カプラ
１２ｅ    フォトダイオード
１２ｆ    光遅延線
１２ｇ    ＳＯＡ
１２ｈ    ＳＯＡ制御部
１３    第２インタフェース部
１３ａ    第２透過／反射フィルタ
１３ｂ    第３透過／反射フィルタ
２１ａ〜２１ｄ    光カプラ
２２ａ〜２２ｄ    フォトダイオード
２３ａ，２３ｂ    ＳＯＡ
２４    光遅延線
２５    ＳＯＡ制御部
【図１】
2010252044.tif 000003
【図２】
2010252044.tif 000004
【図３】
2010252044.tif 000005
【図４】
2010252044.tif 000006
【図５】
2010252044.tif 000007
【図６】
2010252044.tif 000008
【図７】
2010252044.tif 000009
【図８】
2010252044.tif 000010
【図９】
2010252044.tif 000011
【図１０】
2010252044.tif 000012